(57)【特許請求の範囲】
【請求項１】
ＬＴＥ  ＥＰＳ／ＭＢＭＳ上でＧＣＳへのオンライン課金を実行するための方法であって、方法が、
ａ．ＵＥがＧＣＳ−ＡＳデバイスへのセッションを開始する場合、ＧＣＳ−ＡＳデバイスが、ＧＣＳ−ＡＳ  Ｒｏインターフェースに基づいて、対応するＯＣＳデバイスにオンライン課金初期要求を送信するステップと、
ｂ．ＯＣＳデバイスが、前記ＧＣＳ−ＡＳ  Ｒｏインターフェースに基づいて、前記オンライン課金初期要求に応答して、ＵＥに関する許可されたサービスユニットと有効時間情報とをＧＣＳ−ＡＳデバイスに送信するステップであって、ＵＥに対応するユーザ残高が所定のしきい値を満たす、送信するステップと、
ｃ．前記有効時間情報内に、対応するキーに基づいて、前記許可されたサービスユニットに対応するＧＣＳ−ＡＳサービスデータをＵＥに復号させるように、ＧＣＳ−ＡＳデバイスが、前記ＧＣＳ−ＡＳサービスデータと、前記有効時間情報と、前記キーとをＵＥに送信するステップと
を備え、
方法が、
ｄ．ＯＣＳデバイスが、前記オンライン課金初期要求に応答して前記ＧＣＳ−ＡＳサービスデータの使用量へのオンライン課金をさらに実行するステップと、
ｅ．前記ＧＣＳ−ＡＳサービスデータがＥＰＳベアラに基づく場合、ＯＣＳデバイスが、特殊レーティンググループに基づいて前記ＧＣＳ−ＡＳサービスデータの使用量へのオンライン課金を実行するステップであって、前記特殊レーティンググループが、前記ＧＣＳ−ＡＳサービスデータのためにＰＣＲＦデバイスによって割り振られ、前記ＧＣＳ−ＡＳサービスデータの使用量がＧｙインターフェースを介して転送される、実行するステップと、
ｆ．前記ＧＣＳ−ＡＳサービスデータがＭＢＭＳベアラに基づく場合、ＢＭ−ＳＣデバイスがＭＢＭＳ  Ｒｏインターフェースを介してＯＣＳデバイスに送信するオンライン課金要求に応答して、ＯＣＳデバイスが、前記ＧＣＳ−ＡＳサービスデータを提供するためのコンテンツプロバイダに課金するステップと
をさらに備える、方法。
【請求項２】
方法が、
−  ＵＥがＧＣＳ−ＡＳデバイスへのセッションを開始する場合、ＰＣＲＦデバイスが、前記ＧＣＳ−ＡＳサービスデータのために前記特殊レーティンググループを割り振り、ＰＣＲＦデバイスに対応するＰＣＥＦデバイスを介してＯＣＳデバイスに前記特殊レーティンググループを送信するように、ＧＣＳ−ＡＳデバイスがＰＣＲＦデバイスにＲｘ要求を送信すること
をさらに備える、請求項１に記載の方法。
【請求項３】
ステップｂが、
−  ＵＥに対応するユーザ残高が所定のしきい値を満たさない場合、ＯＣＳデバイスが前記オンライン課金初期要求を拒否すること
をさらに備える、請求項１または２に記載の方法。
【請求項４】
方法が、
−  ＵＥがＧＣＳ−ＡＳセッション中であるとき、ＯＣＳデバイスにオンライン課金更新要求を送信するための更新トリガ条件が満たされるかどうかをＧＣＳ−ＡＳデバイスが検出するステップと、
−  更新トリガ条件が満たされる場合、ＯＣＳデバイスが対応する動作を実行するように、ＧＣＳ−ＡＳデバイスがＯＣＳデバイスに前記オンライン課金更新要求を送信するステップと
をさらに備える、請求項１から３のいずれか一項に記載の方法。
【請求項５】
方法が、
−  ＧＣＳ−ＡＳデバイスが、前記ＧＣＳ−ＡＳサービスデータに関する課金関係情報をＯＣＳデバイスに報告するステップ
をさらに備える、請求項１から４のいずれか一項に記載の方法。
【請求項６】
前記ＧＣＳ−ＡＳサービスデータがＭＢＭＳベアラに基づく場合、ＧＣＳ−ＡＳデバイスが、以下の一時マッピング、すなわち、
−  ＵＥのユーザ識別情報と、ＵＥが属するＭＢＭＳグループの識別情報と、前記キーとの間の一時マッピングと、
−  ＵＥのユーザ識別情報と、ＵＥが属するＭＢＭＳグループの識別情報と、前記有効時間情報との間の一時マッピングと、
−  ＵＥの一時モバイルグループ識別情報と、前記ＧＣＳ−ＡＳサービスデータの識別情報との間の一時マッピングと
のうちの少なくともいずれか１つを保存する、請求項１に記載の方法。
【請求項７】
ＬＴＥ  ＥＰＳ／ＭＢＭＳ上でＧＣＳへのオンライン課金を実行するためのＧＣＳ−ＡＳデバイスであって、ＧＣＳ−ＡＳデバイスが、
ＵＥがＧＣＳ−ＡＳデバイスへのセッションを開始する場合、ＧＣＳ−ＡＳ  Ｒｏインターフェースに基づいて、対応するＯＣＳデバイスにオンライン課金初期要求を送信するように構成された第１の送信装置と、
前記オンライン課金初期要求に従ってＯＣＳデバイスによって送信された、ＵＥに関する許可されたサービスユニットと有効時間情報とを受信するように構成された第２の受信装置と、
前記有効時間情報内に、対応するキーに基づいて、前記許可されたサービスユニットに対応するＧＣＳ−ＡＳサービスデータをＵＥに復号させるように、前記ＧＣＳ−ＡＳサービスデータと、前記有効時間情報と、前記キーとをＵＥに送信するように構成された第３の送信装置と
を備える、ＧＣＳ−ＡＳデバイス。
【請求項８】
ＧＣＳ−ＡＳデバイスが、
ＵＥがＧＣＳ−ＡＳデバイスへのセッションを開始する場合、対応するＰＣＲＦデバイスが、前記ＧＣＳ−ＡＳサービスデータのために特殊レーティンググループを割り振り、ＰＣＲＦデバイスに対応するＰＣＥＦデバイスを介してＯＣＳデバイスに前記特殊レーティンググループを送信するように、ＰＣＲＦデバイスにＲｘ要求を送信するように構成された第４の送信装置
をさらに備える、請求項７に記載のＧＣＳ−ＡＳデバイス。
【請求項９】
ＧＣＳ−ＡＳデバイスが、
ＵＥがＧＣＳ−ＡＳセッション中であるとき、ＯＣＳデバイスにオンライン課金更新要求を送信するための更新トリガ条件が満たされるかどうかを検出するように構成された検出装置と、
更新トリガ条件が満たされる場合、ＯＣＳデバイスが対応する動作を実行するように、ＯＣＳデバイスに前記オンライン課金更新要求を送信するように構成された第５の送信装置と
をさらに備える、請求項７または８に記載のＧＣＳ−ＡＳデバイス。
【請求項１０】
ＧＣＳ−ＡＳデバイスが、
前記ＧＣＳ−ＡＳサービスデータに関する課金関係情報をＯＣＳデバイスに報告するように構成された報告装置
をさらに備える、請求項７から９のいずれか一項に記載のＧＣＳ−ＡＳデバイス。
【請求項１１】
前記ＧＣＳ−ＡＳサービスデータがＭＢＭＳベアラに基づく場合、ＧＣＳ−ＡＳデバイスが、以下の一時マッピング、すなわち、
−  ＵＥのユーザ識別情報と、ＵＥが属するＭＢＭＳグループの識別情報と、前記キーとの間の一時マッピングと、
−  ＵＥのユーザ識別情報と、ＵＥが属するＭＢＭＳグループの識別情報と、前記有効時間情報との間の一時マッピングと、
−  ＵＥの一時モバイルグループ識別情報と、前記ＧＣＳ−ＡＳサービスデータの識別情報との間の一時マッピングと
のうちの少なくともいずれか１つを保存する、請求項７から１０のいずれか一項に記載のＧＣＳ−ＡＳデバイス。
【請求項１２】
ＬＴＥ  ＥＰＳ／ＭＢＭＳ上でＧＣＳへのオンライン課金を実行するためのＯＣＳデバイスであって、ＯＣＳデバイスが、
ＵＥによって開始されるセッションを受信したとき、ＧＣＳ−ＡＳ  Ｒｏインターフェースに基づいて対応するＧＣＳ−ＡＳデバイスによって送信されたオンライン課金初期要求を受信するように構成された第１の受信装置と、
前記ＧＣＳ−ＡＳ  Ｒｏインターフェースに基づいて、前記オンライン課金初期要求に応答して、ＵＥに関する許可されたサービスユニットと有効時間情報とをＧＣＳ−ＡＳデバイスに送信するように構成された第２の送信装置であって、ＵＥに対応するユーザ残高が所定のしきい値を満たす、第２の送信装置と
を備え、
ＯＣＳデバイスが、
前記オンライン課金初期要求に応答して、前記許可されたサービスユニットに対応するＧＣＳ−ＡＳサービスデータの使用量へのオンライン課金を実行するように構成された第１の課金装置と、
前記ＧＣＳ−ＡＳサービスデータがＥＰＳベアラに基づく場合、前記ＧＣＳ−ＡＳサービスデータのために割り振られた受信された特殊レーティンググループに基づいて、前記ＧＣＳ−ＡＳサービスデータの使用量へのオンライン課金を実行するように構成された第２の課金装置であって、前記ＧＣＳ−ＡＳサービスデータの使用量がＧｙインターフェースを介して転送される、第２の課金装置と
をさらに備え、
ＯＣＳデバイスが、
前記ＧＣＳ−ＡＳサービスデータがＭＢＭＳベアラに基づくとき、ＭＢＭＳ  Ｒｏインターフェースに基づいて対応するＢＭ−ＳＣデバイスによって送信されたオンライン課金要求を受信するように構成された第６の受信装置と、
前記オンライン課金要求に従って、前記ＧＣＳ−ＡＳサービスデータを提供するためのコンテンツプロバイダに課金するように構成された第３の課金装置と
をさらに備える、ＯＣＳデバイス。
【請求項１３】
第２の課金装置が、
−  ＵＥに対応するユーザ残高が所定のしきい値を満たさない場合、前記オンライン課金初期要求を拒否する
ようにさらに構成された、請求項１２に記載のＯＣＳデバイス。
【請求項１４】
ＬＴＥ  ＥＰＳ／ＭＢＭＳ上でＧＣＳへのオンライン課金を実行するためのＢＭ−ＳＣデバイスであって、ＢＭ−ＳＣデバイスが、
ＵＥの許可されたサービスユニットに対応するＧＣＳ−ＡＳサービスデータがＭＢＭＳベアラに基づく場合、ＭＢＭＳ  Ｒｏインターフェースに基づいて、対応するＯＣＳデバイスにオンライン課金要求を送信するように構成された第６の送信装置
を備える、ＢＭ−ＳＣデバイス。
【請求項１５】
ＬＴＥ  ＥＰＳ／ＭＢＭＳ上でＧＣＳへのオンライン課金を実行するためのシステムであって、システムが、請求項７から１１のいずれか一項に記載のＧＣＳ−ＡＳデバイスと、請求項１２または１３に記載のＯＣＳデバイスと、請求項１４に記載のＢＭ−ＳＣデバイスとを備える、システム。
【発明の詳細な説明】
【技術分野】
【０００１】
本発明は、通信技術の分野に関し、より詳細には、ＬＴＥ  ＥＰＳ／ＭＢＭＳ上でＧＣＳへのオンライン課金を実行する技術に関する。
【背景技術】
【０００２】
３ＧＰＰ  ４ＧＬＴＥは、ブロードキャストモードのみをサポートするｅＭＢＭＳ（進化型マルチメディアブロードキャストマルチキャストサービス）ソリューションを導入している。現在、ブロードキャストモードは、エンドユーザレベル課金をサポートしていない。
【０００３】
３ＧＰＰ  ４Ｇ  ＬＴＥはまた、ＬＴＥのためのグループ通信システムイネーブラ（Ｇｒｏｕｐ  Ｃｏｍｍｕｎｉｃａｔｉｏｎ  Ｓｙｓｔｅｍ  Ｅｎａｂｌｅｒ）を導入している。グループ通信サービス（ＧＣＳ：Ｇｒｏｕｐ  Ｃｏｍｍｕｎｉｃａｔｉｏｎ  Ｓｅｒｖｉｃｅ）アプリケーションサーバ（ＡＳ：Ａｐｐｌｉｃａｔｉｏｎ  Ｓｅｒｖｅｒ）はＥＰＳベアラサービスを使用することができ、さらに、特にマシンタイプ通信（ＭＴＣ：Ｍａｃｈｉｎｅ  Ｔｙｐｅ  Ｃｏｍｍｕｎｉｃａｔｉｏｎｓ）のためのｅＭＢＭＳベースのグループメッセージングの場合、ＧＣＳ  ＡＳとＵＥとの間でアプリケーションシグナリングとデータとを転送するためにＭＢＭＳベアラサービスを使用し得る。これは、ＧＣＳ−ＡＳを使用するエンドユーザにどのように課金すべきかという問題を生じることになる。現在の課金ソリューションとしてＧＣＳ−ＡＳユーザデータをＥＰＳベアラレベル上で保つが、ＭＳＭＢベアラが課金され得ない（これは、ＢＭ−ＳＣ（ブロードキャストマルチメディア−サービスセンター）が、トラフィック、時間の長さなど、単一のユーザのためのｅＭＢＭＳのリソース使用量を取得することができないため）場合、これは、ＧＣＳを有するためにＥＰＳベアラを使用するユーザにとって不公平になる。
【０００４】
ＧＣＳアプリケーションサービスはＬＴＥ  ＥＰＳベアラまたはＭＢＭＳベアラ上で転送され得、ユーザごとにどのようにＧＣＳ  ＡＳに課金すべきかが問題になる。
【０００５】
３ＧＰＰは、ユーザごとにＬＴＥ  ＥＰＳ  ＭＢＭＳ上でどのようにＧＣＳアプリケーションサービスに課金すべきかという課金ソリューションを定義していない。しかしながら、サービスプロバイダは、実際、ＭＴＣのためのＭＢＭＳグループメッセージング中でエンドユーザに課金するニーズを有する。
【発明の概要】
【発明が解決しようとする課題】
【０００６】
本発明の目的は、ＬＴＥ  ＥＰＳ／ＭＢＭＳ上でＧＣＳへのオンライン課金を実行するための方法および装置を提供することである。
【課題を解決するための手段】
【０００７】
本発明の一態様によれば、ＬＴＥ  ＥＰＳ／ＭＢＭＳ上でＧＣＳへのオンライン課金を実行するための方法を提供し、本方法は：
ａ．ＵＥがＧＣＳ−ＡＳデバイスへのセッションを開始する場合、ＧＣＳ−ＡＳデバイスが、ＧＣＳ−ＡＳ  Ｒｏインターフェースに基づいて、対応するＯＣＳデバイスにオンライン課金初期要求を送信するステップと、
ｂ．ＯＣＳデバイスが、前記ＧＣＳ−ＡＳ  Ｒｏインターフェースに基づいて、前記オンライン課金初期要求に応答して、ＵＥに関する許可されたサービスユニットと有効時間情報とをＧＣＳ−ＡＳデバイスに送信するステップであって、ＵＥに対応するユーザ残高が所定のしきい値を満たす、送信するステップと、
ｃ．前記有効時間情報内に、対応するキーに基づいて、前記許可されたサービスユニットに対応するＧＣＳ−ＡＳサービスデータをＵＥに復号させるように、ＧＣＳ−ＡＳデバイスが、前記ＧＣＳ−ＡＳサービスデータと、前記有効時間情報と、前記キーとをＵＥに送信するステップと
を備え、
本方法は：
ｄ．ＯＣＳデバイスが、前記オンライン課金初期要求に応答して前記ＧＣＳ−ＡＳサービスデータの使用量へのオンライン課金をさらに実行するステップと、
ｅ．前記ＧＣＳ−ＡＳサービスデータがＥＰＳベアラに基づく場合、ＯＣＳデバイスが、特殊レーティンググループに基づいて前記ＧＣＳ−ＡＳサービスデータの使用量へのオンライン課金を実行するステップであって、前記特殊レーティンググループが、前記ＧＣＳ−ＡＳサービスデータのためにＰＣＲＦデバイスによって割り振られ、前記ＧＣＳ−ＡＳサービスデータの使用量がＧｙインターフェースを介して転送される、実行するステップと、
ｆ．前記ＧＣＳ−ＡＳサービスデータがＭＢＭＳベアラに基づく場合、ＢＭ−ＳＣデバイスがＭＢＭＳ  Ｒｏインターフェースを介してＯＣＳデバイスに送信するオンライン課金要求に応答して、ＯＣＳデバイスが、前記ＧＣＳサービスデータを提供するためのコンテンツプロバイダに課金するステップと
をさらに備える。
【０００８】
また、本発明の別の態様によれば、ＬＴＥ  ＥＰＳ／ＭＢＭＳ上でＧＣＳへのオンライン課金を実行するためのＧＣＳ−ＡＳデバイスを提供し、ＧＣＳ−ＡＳデバイスは：
ＵＥがＧＣＳ−ＡＳデバイスへのセッションを開始する場合、ＧＣＳ−ＡＳ  Ｒｏインターフェースに基づいて、対応するＯＣＳデバイスにオンライン課金初期要求を送信するように構成された第１の送信装置と、
前記オンライン課金初期要求に従ってＯＣＳデバイスによって送信された、ＵＥに関する許可されたサービスユニットと有効時間情報とを受信するように構成された第２の受信装置と、
前記有効時間情報内に、対応するキーに基づいて、前記許可されたサービスユニットに対応するＧＣＳ−ＡＳサービスデータをＵＥに復号させるように、前記ＧＣＳ−ＡＳサービスデータと、前記有効時間情報と、前記キーとをＵＥに送信するように構成された第３の送信装置と
を備える。
【０００９】
また、本発明のさらなる態様によれば、ＬＴＥ  ＥＰＳ／ＭＢＭＳ上でＧＣＳへのオンライン課金を実行するためのＯＣＳデバイスを提供し、ＯＣＳデバイスは：
ＵＥによって開始されるセッションを受信したとき、ＧＣＳ−ＡＳ  Ｒｏインターフェースに基づいて対応するＧＣＳ−ＡＳデバイスによって送信されたオンライン課金初期要求を受信するように構成された第１の受信装置と、
前記ＧＣＳ−ＡＳ  Ｒｏインターフェースに基づいて、前記オンライン課金初期要求に応答して、ＵＥに関する許可されたサービスユニットと有効時間情報とをＧＣＳ−ＡＳデバイスに送信するように構成された第２の送信装置であって、ＵＥに対応するユーザ残高が所定のしきい値を満たす、第２の送信装置と
を備え、
ＯＣＳデバイスは：
前記オンライン課金初期要求に応答して、前記許可されたサービスユニットに対応するＧＣＳ−ＡＳサービスデータの使用量へのオンライン課金を実行するように構成された第１の課金装置と、
前記ＧＣＳ−ＡＳサービスデータがＥＰＳベアラに基づく場合、前記ＧＣＳ−ＡＳサービスデータのために割り振られた受信された特殊レーティンググループに基づいて、前記ＧＣＳ−ＡＳサービスデータの使用量へのオンライン課金を実行するように構成された第２の課金装置であって、前記ＧＣＳ−ＡＳサービスデータの使用量がＧｙインターフェースを介して転送される、第２の課金装置と
をさらに備え、
ＯＣＳデバイスは：
前記ＧＣＳ−ＡＳサービスデータがＭＢＭＳベアラに基づくとき、ＭＢＭＳ  Ｒｏインターフェースに基づいて対応するＢＭ−ＳＣデバイスによって送信されたオンライン課金要求を受信するように構成された第６の受信装置と、
前記オンライン課金要求に従って、前記ＧＣＳサービスデータを提供するためのコンテンツプロバイダに課金するように構成された第３の装置と
をさらに備える。
【００１０】
また、本発明のさらなる態様によれば、ＬＴＥ  ＥＰＳ／ＭＢＭＳ上でＧＣＳへのオンライン課金を実行するためのＢＭ−ＳＣデバイスを提供し、ＢＭ−ＳＣデバイスは：
ＵＥの許可されたサービスユニットに対応するＧＣＳ−ＡＳサービスデータがＭＢＭＳベアラに基づく場合、ＭＢＭＳ  Ｒｏインターフェースに基づいて、対応するＯＣＳデバイスにオンライン課金要求を送信するように構成された第６の送信装置
を備える。
【００１１】
また、本発明の別の態様によれば、ＬＴＥ  ＥＰＳ／ＭＢＭＳ上でＧＣＳへのオンライン課金を実行するためのシステムを提供し、本システムは、本発明の別の態様による上述のＧＣＳ−ＡＳデバイスと、本発明のさらなる態様による上述のＯＣＳデバイスと、本発明のさらなる態様による上述のＢＭ−ＳＣデバイスとを備える。
【００１２】
従来技術と比較して、本発明の一実施形態は、ＭＢＭＳベアラ上のＧＣＳ−ＡＳサービス使用量のためにコンテンツプロバイダごとに課金するために使用されるＭＢＭＳ  Ｒｏインターフェースを導入している。ＧＣＳ−ＡＳサービスデータがＭＢＭＳベアラに基づく場合、ＢＭ−ＳＣデバイスがＭＢＭＳ  Ｒｏインターフェースを介してＯＣＳデバイスに送信するオンライン課金要求に応答して、ＯＣＳデバイスは、前記ＧＣＳサービスデータを提供するためのコンテンツプロバイダに課金する。したがって、本発明は、ユーザごとのＭＢＭＳオンライン課金を実現する。一方、本発明の別の実施形態はまた、ＵＥごとのＧＣＳ−ＡＳサービス使用量に課金するために使用されるＧＣＳ−ＡＳ  Ｒｏインターフェースを導入し、ＯＣＳデバイスは、ＥＰＳベアラに基づいてＧＣＳ−ＡＳサービスへのオンライン課金を実行するために特殊レーティンググループを使用し、前記特殊レーティンググループは、前記ＧＣＳ−ＡＳサービスデータのためのＰＣＲＦデバイスによって割り振られ、ＥＰＳベアラに基づくＧＣＳ−ＡＳサービスは、Ｇｙインターフェースを介してＯＣＳデバイスに転送される。したがって、本発明は、ＧＣＳ−ＡＳ  Ｒｏオンライン課金とＧｙオンライン課金とからの両方の課金トリガのための二重の課金問題を回避することができ、言い換えれば、本発明は、それがＧＣＳ−ＡＳ  ＲｏとＧｙとを同時に使用してエンドユーザに課金することができないという有益な効果を達成し、それにより、本発明は、ＧＣＳ−ＡＳサービスに課金するために異なる課金インターフェース（すなわち、ＧＣＳ−ＡＳ  Ｒｏインターフェース、ＭＢＭＳ  Ｒｏインターフェース、およびＧｙインターフェース）を使用することによってＬＴＥ  ＥＰＳ／ＭＢＭＳ上でＧＣＳ−ＡＳサービスを使用するすべてのユーザへの効果的で公正な課金を実装する。
【００１３】
本発明の他の特徴、目的および利点は、以下の添付の図面に関して行われる非制限的実施形態の詳細な記述を読めば、より明らかになるであろう。
【図面の簡単な説明】
【００１４】
【図１】本発明の一態様による、ＬＴＥ  ＥＰＳ／ＭＢＭＳ上でＧＣＳへのオンライン課金を実行するためのＧＣＳ−ＡＳデバイスとＯＣＳデバイスとＢＭ−ＳＣデバイスとを示す概略図である。
【図２】（ＧＣＳ−ＡＳサービスのプロバイダとモバイルネットワークのプロバイダとが同じである）非ローミングネットワークアーキテクチャモデルの場合のＧＣＳオンライン課金を示す概略図である。
【図３】（ＧＣＳ−ＡＳサービスのプロバイダとモバイルネットワークのプロバイダとが異なる）非ローミングネットワークアーキテクチャモデルの場合のＧＣＳオンライン課金を示す概略図である。
【図４】（ＧＣＳ−ＡＳサービスのプロバイダとモバイルネットワークのプロバイダとが同じである）ホーム経由（Ｈｏｍｅ  Ｒｏｕｔｅｄ）ローミングネットワークアーキテクチャモデルの場合のＧＣＳオンライン課金を示す概略図である。
【図５】（ＧＣＳ−ＡＳサービスのプロバイダとモバイルネットワークのプロバイダとが異なる）ローカルブレークアウト（Ｌｏｃａｌ  Ｂｒｅａｋｏｕｔ）ローミングネットワークアーキテクチャモデルの場合のＧＣＳオンライン課金を示す概略図である。
【図６】（ＧＣＳ−ＡＳサービスのプロバイダとモバイルネットワークのプロバイダとが同じである）ローカルブレークアウトローミングネットワークアーキテクチャモデルの場合のＧＣＳオンライン課金を示す概略図である。
【図７】本発明の別の実施形態による、ＧＣＳ−ＡＳデバイスとＯＣＳデバイスとＢＭ−ＳＣデバイスとの間の協働を用いてＬＴＥ  ＥＰＳ／ＭＢＭＳ上でＧＣＳへのオンライン課金を実行するための方法のフローチャートである。
【発明を実施するための形態】
【００１５】
図面中の同じまたは同様の参照番号は、同じまたは同様の構成部分を表す。
【００１６】
本発明の詳細は、添付の図面と組み合わせて以下でさらに提供される。
【００１７】
図１に、本発明の一態様による、ＬＴＥ  ＥＰＳ／ＭＢＭＳ上でＧＣＳへのオンライン課金を実行するためのＧＣＳ−ＡＳデバイス１とＯＣＳデバイス２とＢＭ−ＳＣデバイス３とを示す概略図を示し、ＧＣＳ−ＡＳデバイス１は、第１の送信装置１１と、第２の受信装置１２と、第３の送信装置１３とを備え、ＯＣＳデバイス２は、第１の受信装置２１と、第２の送信装置２２と、第１の課金装置２３と、第２の課金装置２４と、第６の受信装置２５と、第３の課金装置２６とを備え、ＢＭ−ＳＣデバイス３は第６の送信装置３１を備える。詳細には、ＵＥがＧＣＳ−ＡＳデバイス１へのセッションを開始する場合、ＧＣＳ−ＡＳデバイス１の第１の送信装置１１は、ＧＣＳ−ＡＳ  Ｒｏインターフェースに基づいて、対応するＯＣＳデバイス２にオンライン課金初期要求を送信し、対応して、ＯＣＳデバイス２の第１の受信装置２１は、ＵＥ開始型セッションを受信したとき、ＧＣＳ−ＡＳ  Ｒｏインターフェースを介して、対応するＧＣＳ−ＡＳデバイス１によって送信されたオンライン課金初期要求を受信し、ＯＣＳデバイス２の第１の課金装置２３は、オンライン課金初期要求に応答してＧＣＳ−ＡＳサービスデータの使用量へのオンライン課金をさらに実行し、ＯＣＳデバイス２の第２の送信装置２２は、オンライン課金初期要求に応答して、ＧＣＳ−ＡＳ  Ｒｏインターフェースを介してＵＥに関する許可されたサービスユニットと有効時間情報とをＧＣＳ−ＡＳデバイス１に送信し、ＵＥに対応するユーザ残高は所定のしきい値を満たし、対応して、ＧＣＳ−ＡＳデバイス１の第２の受信装置１２は、オンライン課金初期要求に基づいてＯＣＳデバイス２によって送信された、ＵＥに関する許可されたサービスユニットと有効時間情報とを受信し、第３の送信装置１３は、有効時間情報内に、対応するキーに基づいて、許可されたサービスユニットに対応するＧＣＳ−ＡＳサービスデータをＵＥに復号させるように、ＧＣＳ−ＡＳサービスデータと、有効時間情報と、キーとをＵＥに送信し、ＧＣＳ−ＡＳサービスデータがＥＰＳベアラに基づく場合、ＯＣＳデバイス２の第２の課金装置２４は、許可されたサービスユニットに対応するＧＣＳ−ＡＳサービスデータのために割り振られた、受信された特定のレーティンググループに基づいて、ＧＣＳ−ＡＳサービスデータの使用量へのオンライン課金を実行し、ＧＣＳ−ＡＳサービスデータの使用量はＧｙインターフェースを介して転送され、ＵＥの許可されたサービスユニットに対応するＧＣＳ−ＡＳサービスデータがＭＢＭＳベアラに基づく場合、ＢＭ−ＳＣデバイス３の第６の送信装置３１は、ＭＢＭＳ  Ｒｏインターフェースに基づいて、対応するＯＣＳデバイス２にオンライン課金要求を送信し、対応して、ＯＣＳデバイス２の第６の受信装置２５は、ＧＣＳ−ＡＳサービスデータがＭＢＭＳベアラに基づくとき、ＭＢＭＳ  Ｒｏインターフェースを介して、対応するＢＭ−ＳＣデバイス３によって送信されたオンライン課金要求を受信し、第３の課金装置２６は、オンライン課金要求に従ってＧＣＳサービスデータのコンテンツプロバイダに課金する。
【００１８】
ここで、ＧＣＳ−ＡＳデバイス１は、ＥＰＳベアラサービスを使用することができ、さらに、ＧＣＳ  ＡＳデバイス１と（１つまたは複数の）ＵＥとの間でアプリケーションシグナリングとデータとを転送するためにＭＢＭＳベアラサービスを使用し得るグループ通信サービス（ＧＣＳ）アプリケーションサーバ（ＡＳ）を指す。特定の実施形態では、ＧＣＳ−ＡＳデバイス１は、既存のＧＣＳ−ＡＳ、たとえば、３ＧＰＰ  ４Ｇ  ＬＴＥにおいて導入されるグループ通信システムのためのＧＣＳ−ＡＳであり得、それは、既存のＧＣＳ−ＡＳを強化させることによっても派生され得る。
【００１９】
ここで、ＯＣＳデバイス２は、サービス使用量に基づいてシステムとのリアルタイム対話型課金を実行し得るオンライン課金システム（ＯＣＳ）を指す。特定の実施形態では、ＯＣＳデバイス２は、既存のＯＣＳであるか、または既存のＯＣＳを強化させることから派生され得る。
【００２０】
ここで、ＢＭ−ＳＣデバイス３は、ＭＢＭＳサービスのプロビジョンおよび管理を実行し得る機能エンティティ（すなわち、ブロードキャストマルチキャストサービスセンター）を指す。たとえば、コンテンツプロバイダの場合、ＢＭ−ＳＣデバイス３はＭＢＭＳサービスコンテンツのためのエントリであり、ベアラネットワークの場合、ＢＭ−ＳＣデバイス３は、ＭＢＭＳサービスを認可および開始し、ＭＢＭＳサービスコンテンツをスケジュールおよび送信するように構成される。特定の実施形態では、ＢＭ−ＳＣデバイス３は、既存のＢＭ−ＳＣおよびｅＢＭ−ＳＣであるか、または既存のＢＭ−ＳＣを強化させることから派生され得る。
【００２１】
上述のＧＣＳ−ＡＳデバイス１、ＯＣＳデバイス２およびＢＭ−ＳＣデバイス３は例にすぎず、他の既存のグループ通信サービスアプリケーションサーバまたはオンライン課金システムまたはブロードキャストマルチキャストサービスセンター、あるいは場合によっては後で出てくることがあるものは、それらが本発明に適応可能である場合、本発明の保護範囲においても包含され、ここでは引用の形で含められるべきであることを当業者は理解されたい。ここで、ＧＣＳ−ＡＳデバイス１、ＯＣＳデバイス２およびＢＭ−ＳＣデバイス３はすべて、数値計算を実行し、事前設定されたまたは事前格納された命令に従って自動的に情報を処理することができる電子デバイスを含むことができ、それのハードウェアは、限定はしないが、マイクロプロセッサ、特定用途向け集積回路（ＡＳＩＣ）、フィールドプログラマブルゲートアレイ（ＦＰＧＡ）、デジタル信号プロセッサ（ＤＳＰ）、または組み込みデバイスなどを含む。
【００２２】
詳細には、ＵＥがＧＣＳ−ＡＳデバイス１へのセッションを開始する場合、ＧＣＳ−ＡＳデバイス１の第１の送信装置１１は、ＧＣＳ−ＡＳ  Ｒｏインターフェースに基づいて、対応するＯＣＳデバイス２にオンライン課金初期要求を送信する。
【００２３】
ここで、ＧＣＳ−ＡＳ  Ｒｏインターフェースは、本発明によれば、ＧＣＳ−ＡＳデバイス１とＯＣＳデバイス２との間に新たに導入されるインターフェースであり、これは、ＵＥごとのＧＣＳ−ＡＳサービス使用量に課金するために使用される。
【００２４】
たとえば、ユーザ（たとえば、ユーザＡ）がユーザ自身のＵＥを使用してＧＣＳ−ＡＳサービスをカスタマイズすると仮定する。ＵＥが、ＧＣＳサービスに対応するＧＣＳ−ＡＳデバイス１へのセッションを開始する、たとえば、ＵＥがＧＣＳ−ＡＳデバイス１に登録する場合、ＧＣＳ−ＡＳデバイス１の第１の送信装置１１は、ＧＣＳ−ＡＳ  Ｒｏインターフェースを介して、対応するＯＣＳデバイス２にオンライン課金初期要求を送信する。
【００２５】
対応して、ＯＣＳデバイス２の第１の受信装置２１は、ＧＣＳ−ＡＳ  Ｒｏインターフェースを介してＵＥによって開始されるセッションを受信したとき、対応するＧＣＳ−ＡＳデバイス１によって送信されたオンライン課金初期要求を受信する。
【００２６】
次に、ＯＣＳデバイス２の第１の課金装置２３は、オンライン課金初期要求に応答してＵＥのＧＣＳ−ＡＳサービスデータの使用量に対してオンライン課金を実行する。
【００２７】
さらに、ＯＣＳデバイス２の第２の送信装置２２は、最初に、オンライン課金初期要求に応答して、ＵＥに関する許可されたサービスユニットと有効時間情報とを決定し、次いで、ＧＣＳ−ＡＳ  Ｒｏインターフェースに基づいて、ＵＥに関する許可されたサービスユニットと有効時間情報とをＧＣＳ−ＡＳデバイス１に送信し、ＵＥに対応するユーザ残高は所定のしきい値を満たす。ここで、許可されたサービスユニットはＧＣＳ−ＡＳサービスデータの使用量に対応する。
【００２８】
ここで、許可されたサービスユニットのタイプは、イベントベース（たとえば、ショートメッセージングサービス）であるか、またはトラフィックベース（たとえば、ダウンロードサービス）であるか、または時間長ベース（たとえば、呼サービス）であり得る。ここで、有効時間情報は、ＵＥがＧＣＳ−ＡＳサービスデータを復号するためのキーの有効時間を示す。特定の実施形態では、それは、有効タイマーによって実装され得る。好ましくは、ＧＣＳ−ＡＳデバイス１はまた、許可期間中にキーおよび／または有効時間情報を修正または再発行することができる。ＧＣＳ−ＡＳデバイス１はまた、キーおよび有効時間情報のバージョンに関してＯＣＳデバイス２と相談することができる。
【００２９】
たとえば、上記の例を続けると、ＯＣＳデバイス２の第１の受信装置２１は、ＧＣＳ−ＡＳ  Ｒｏインターフェースを介して、対応するＧＣＳ−ＡＳデバイス１によって送信されたオンライン課金初期要求を受信する。ユーザ残高が十分である場合など、ユーザＡのＵＥに対応するユーザ残高が所定のしきい値を満たす場合、第２の送信装置２２は、最初に、オンライン課金初期要求に応答して、許可されたサービスユニットと有効時間情報とを決定し、たとえば、課金システムは、ユーザＡのアカウントと残高と、対応するＧＣＳサービスのレート情報とに対してレーティングプロセスを実行し、それにより、ユーザＡのＵＥに対応する許可されたサービスユニット（たとえば、許可されたサービスユニットＡ）を決定し、有効時間情報（たとえば、有効性タイマーＡ）を割り振るように、対応するＧＣＳサービス使用量を取得し、次いで、第２の送信装置２２は、ＵＥに関する許可されたサービスユニットと有効時間情報とをＧＣＳ−ＡＳデバイス１に送信する。
【００３０】
対応して、ＧＣＳ−ＡＳデバイス１の第２の受信装置１２は、オンライン課金初期要求に基づいてＯＣＳデバイスによって送信された、ＵＥに関する許可されたサービスユニットと有効時間情報とを受信する。
【００３１】
第３の送信装置１３は、有効時間情報内に、対応するキーに基づいて許可されたサービスユニットに対応するＧＣＳ−ＡＳサービスデータをＵＥに復号させるように、ＧＣＩ（ＧＣＩは、既存の３ＧＰＰ基準において定義されているＵＥとＧＣＳ−ＡＳとの間のアプリケーションインターフェースである）基準点を介して、ＧＣＳ−ＡＳサービスデータと、有効時間情報と、キーとをＵＥに送信する。ここで、ＧＣＳ−ＡＳサービスデータは、ＥＰＳベアラまたはＭＢＭＳベアラに基づき得る。ここで、キーは、暗号化キーまたは復号キーであり得る。また、キーは、ＧＣＡ−ＡＳデバイス１によって割り振られるかまたはＯＣＳデバイス２によって割り振られ、ＧＣＳ−ＡＳデバイス１に送信され得る。
【００３２】
ここで、ＯＣＳデバイス２の第１の課金装置２３は、最初に、オンライン課金初期要求に応答してＵＥのＧＣＳ−ＡＳサービスデータの使用量に関するオンライン課金を実行し、次いで、第２の送信装置２２は、オンライン課金要求に応答して、ＵＥに関する許可されたサービスユニットと有効時間情報とをＧＣＳ−ＡＳデバイス１にさらに送信し、許可されたサービスユニットは、ＧＣＳ−ＡＳサービスデータの使用量に対応することに留意されたい。ここで、導入されたＧＣＳ−ＡＳ  Ｒｏインターフェースを介して、本発明は、ＵＥごとのＧＣＳ−ＡＳサービス使用量に課金することを実現する。特定の実施形態では、ＧＣＳ−ＡＳデバイス１は、ＯＣＳデバイス２が対応する課金を実行するように、ＵＥごとのＧＣＳ−ＡＳサービスデータ使用量をＯＣＳデバイス２に送信することができる。
【００３３】
ＧＣＳ−ＡＳサービスデータがＥＰＳベアラに基づく場合、ＯＣＳデバイス２の第２の課金装置２４は、最初に、Ｇｙインターフェースを介してＳＧＷ／ＰＧＷ（サービスゲートウェイ／パケットゲートウェイ）から課金要求を受信し、ＰＣＲＦ（ポリシーおよび課金施行機能）デバイスによって、許可されたサービスユニットに割り振られ、ＰＣＥＦ（ポリシーおよび課金ルール機能）デバイスによってフォワーディングされた特定のレーティンググループを受信し、次いで、第２の課金装置２４は、特定のレーティンググループに基づいてオンライン課金を実行し、ＧＣＳ−ＡＳサービスデータの使用量はＧｙインターフェースを介して転送される。ここで、特定のレーティンググループは、課金ポリシーに基づいてＰＣＲＦデバイスによって割り振られる。ここで、Ｇｙインターフェースは、既存の３ＧＰＰ規格においてＯＣＳとＳＧＷ／ＰＧＷとの間に導入され、これは、ＬＴＥ  ＥＰＳベアラ上でＧＣＳ−ＡＳサービスの使用量を転送するために使用される。
【００３４】
たとえば、ユーザＡの場合、ユーザＡのＵＥがＧＣＳ−ＡＳデバイスへのセッションを開始するとき、ＧＣＳ−ＡＳデバイス１はＰＣＲＦデバイスへのＲｘ要求をトリガすることになり、ＰＣＲＦデバイスは、ＵＥに関するＧＣＳ−ＡＳサービスデータに特定のレーティンググループを割り振り、特定のレーティンググループをＰＣＥＦデバイスに送信し、ＰＣＥＦデバイスはＯＣＳデバイス２に特定のレーティンググループを送信し、次いで、ＯＣＳデバイス２の第２の課金装置２４は、特定のレーティンググループに基づいてＧＣＳ−ＡＳサービスデータの使用量のためのオンライン課金を実行し、ＧＣＳ−ＡＳサービスデータの使用量はＧｙインターフェースを介して送信される。
【００３５】
好ましくは、ＰＣＲＦデバイスが特定のレーティンググループをＰＣＥＦデバイスに送信するとき、ＧＣＳ−ＡＳサービスデータフローなどのサービス情報は、それが他のデータフローではなくＧＣＳ−ＡＳサービスデータフローであると、ＰＣＥＦデバイスが決定し得るように同時に送信され得る。
【００３６】
好ましくは、ＰＣＥＦデバイスレベルにおけるＧＣＳ−ＡＳサービスデータは、無料、またはオンライン課金、またはコンテンツプロバイダ支払いによって支払われるスポンサー付きオンライン課金であり得る。
【００３７】
好ましくは、好ましい実施形態では、ＧＣＳ−ＡＳサービスデータのユーザの使用量がＧＣＳ−ＡＳ  Ｒｏを通して課金された場合、ＰＣＥＦデバイスは、ＯＣＳデバイス２へのＧｙインターフェースオンライン課金をトリガしないことがあり、対応して、エンドユーザの場合、本発明は、ＧＣＳ−ＡＳ  Ｒｏオンライン課金とＧｙオンライン課金とからの両方の課金トリガのための二重の課金問題を回避する。言い換えれば、エンドユーザの課金の場合、それは、ＧＣＳ−ＡＳ  ＲｏとＧｙとを通して同時に課金しないことになり、その上、本発明は、ＭＢＭＳベアラ上でのユーザトラフィックが無料であるので、ＥＰＳベアラ上でのＧＣＳ−ＡＳサービスを無料にすることができる。別の好ましい実施形態では、本発明は、依然として、ＥＰＳベアラの使用量の独立した課金を実行するためにＧｙを使用し得る。特定の実装様式は、１）無料のＧＣＳ−ＡＳサービスデータ（たとえば、コンテンツベース）の場合、ＰＣＥＦデバイスが、ＯＣＳデバイス２へのＧｙインターフェースオンライン課金をトリガしないことと、２）オンライン課金の場合、ＰＣＥＦがＯＣＳデバイスに特定のレーティンググループを搬送するようにオンライン課金要求をトリガする場合、したがって、ＯＣＳデバイス２が、ＧＣＳ−ＡＳサービスデータを無料で適用することができることとを含む。ＯＣＳデバイス２はまた、特定のレートを用いてＥＰＳベアラのＧＣＳ−ＡＳサービスデータに課金することができ（特定のレートは全体として動作構成に基づく）、３）本発明は、すなわち、ユーザによって支払われるのではなくコンテンツプロバイダがスポンサーになった、ＥＰＳベアラレベルにおけるＧＣＳ−ＡＳサービスデータのためのオンライン課金をサポートすることができる。Ｇｙインターフェースは、ＰＧＷ（パケットゲートウェイ）とＭＢＭＳとからのこの能力を可能にする。しかしながら、事業者からのビジネスモデルは異なることがある。
【００３８】
ＵＥの許可されたサービスユニットに対応するＧＣＳ−ＡＳサービスデータがＭＢＭＳベアラに基づく場合、ＢＭ−ＳＣデバイス３の第６の送信装置３１は、ＭＢＭＳ  Ｒｏインターフェースを介して、対応するＯＣＳデバイス２にオンライン課金要求を送信する。ここで、ＭＢＭＳ  Ｒｏインターフェースは、ＢＭ−ＳＣデバイス３とＯＣＳデバイス２との間に、本発明によって新たに導入されるインターフェースであり、これは、ＭＢＭＳベアラ上でＧＣＳ−ＡＳサービス使用量のためにコンテンツプロバイダごとに課金するために使用される。
【００３９】
たとえば、ユーザＡの場合、ＵＥの許可されたサービスユニットに対応するＧＣＳ−ＡＳサービスデータがＭＢＭＳベアラに基づくように、ユーザＡのＵＥはＭＢＭＳグループに加入し、次いで、ＢＭ−ＳＣデバイス３の第６の送信装置３１は、ＭＢＭＳ  Ｒｏインターフェースを介して、対応するＯＣＳデバイス２にオンライン課金要求を送信する。
【００４０】
好ましくは、ＢＭ−ＳＣデバイス３の第６の送信装置３１が、ＭＢＭＳ  Ｒｏインターフェースに基づいて、対応するＯＣＳデバイス２にオンライン課金要求を送信するとき、オンライン要求中のユーザＩＤは、コンテンツプロバイダが課金可能当事者として働くようなコンテンツプロバイダである。
【００４１】
好ましくは、ＵＥの許可されたサービスユニットに対応するＧＣＳ−ＡＳサービスデータが、ＭＢＭＳベアラに基づく場合、ＧＣＳ−ＡＳデバイス１はまた、ＭＢＭＳサービス関係の課金情報をＯＣＳデバイス２に報告し得る。ここで、ＭＢＭＳサービス関係の課金情報は、たとえば、コンテンツプロバイダＩＤ、サービスエリア、ＴＭＧＩ（一時モバイルグループ識別子）、ベアラトラフィックタイプ、ＢＭ−ＳＣゲートウェイ、大得意のサービス属性、関係するＵＬ量およびＤＬ量、セッション開始時間および停止時間、マルチキャスト、ブロードキャストなどを含む。
【００４２】
対応して、第６の受信装置２５は、ＧＣＳ−ＡＳサービスデータがＭＢＭＳベアラに基づく場合、ＭＢＭＳ  Ｒｏインターフェースを介して、対応するＢＭ−ＳＣデバイス３によって送信されたオンライン課金要求を受信する。
【００４３】
第３の課金装置２６は、オンライン課金要求に基づいて、ＧＣＳサービスデータを提供するためのコンテンツプロバイダに課金する。
【００４４】
ここで、ＧＣＳサービスデータを提供するためのコンテンツプロバイダに課金することによって、本発明は、ＭＴＣのＭＢＭＳグループメッセージ中でエンドユーザに課金することを実現する。
【００４５】
特定の実施形態では、ＯＣＳデバイス２の第１の課金装置２３、第２の課金装置２４、および第３の課金装置２６が互いに一体化され得るか、または互いに独立したモジュールであり得ることを、当業者は理解されたい。
【００４６】
ＧＣＳ−ＡＳデバイス１、ＯＣＳデバイス２およびＢＭ−ＳＣデバイス３の様々な装置は、互いの間で連続的に動作する。詳細には、ＵＥがＧＣＳ−ＡＳデバイス１へのセッションを開始する場合、ＧＣＳ−ＡＳデバイス１の第１の送信装置１１は、ＧＣＳ−ＡＳ  Ｒｏインターフェースに基づいて、対応するＯＣＳデバイス２にオンライン課金初期要求を連続的に送信し、対応して、ＯＣＳデバイス２の第１の受信装置２１は、ＵＥ開始型セッションを受信したとき、ＧＣＳ−ＡＳ  Ｒｏインターフェースを介して、対応するＧＣＳ−ＡＳデバイス１によって送信されたオンライン課金初期要求を連続的に受信し、ＯＣＳデバイス２の第１の課金装置２３は、オンライン課金初期要求に応答してＧＣＳ−ＡＳサービスデータの使用量へのオンライン課金をさらに連続的に実行し、ＯＣＳデバイス２の第２の送信装置２２は、オンライン課金初期要求に応答して、ＧＣＳ−ＡＳ  Ｒｏインターフェースを介してＵＥに関する許可されたサービスユニットと有効時間情報とをＧＣＳ−ＡＳデバイス１に連続的に送信し、ＵＥに対応するユーザ残高は所定のしきい値を満たし、対応して、ＧＣＳ−ＡＳデバイス１の第２の受信装置１２は、オンライン課金初期要求に基づいて、ＯＣＳデバイス２によって送信された、ＵＥに関する許可されたサービスユニットと有効時間情報とを連続的に受信し、第３の送信装置１３は、有効時間情報内に、対応するキーに基づいて許可されたサービスユニットに対応するＧＣＳ−ＡＳサービスデータをＵＥに復号させるように、ＧＣＳ−ＡＳサービスデータと、有効時間情報と、キーとをＵＥに連続的に送信し、ＧＣＳ−ＡＳサービスデータがＥＰＳベアラに基づく場合、ＯＣＳデバイス２の第２の課金装置２４は、許可されたサービスユニットに対応するＧＣＳ−ＡＳサービスデータのために割り振られた、受信された特定のレーティンググループに基づいて、ＧＣＳ−ＡＳサービスデータの使用量へのオンライン課金を連続的に実行し、ＧＣＳ−ＡＳサービスデータの使用量はＧｙインターフェースを介して転送され、ＵＥの許可されたサービスユニットに対応するＧＣＳ−ＡＳサービスデータがＭＢＭＳベアラに基づく場合、ＢＭ−ＳＣデバイス３の第６の送信装置３１は、ＭＢＭＳ  Ｒｏインターフェースに基づいて、対応するＯＣＳデバイス２にオンライン課金要求を連続的に送信し、対応して、ＯＣＳデバイス２の第６の受信装置２５は、ＧＣＳ−ＡＳサービスデータがＭＢＭＳベアラに基づくとき、ＭＢＭＳ  Ｒｏインターフェースを介して、対応するＢＭ−ＳＣデバイス３によって送信されたオンライン課金要求を連続的に受信し、第３の課金装置２６は、オンライン課金要求に従ってＧＣＳサービスデータのコンテンツプロバイダに連続的に課金する。ここで、「連続的に」は、ＧＣＳ−ＡＳデバイス１、ＯＣＳデバイス２およびＢＭ−ＳＣデバイス３の様々な装置がオンライン課金初期要求を連続的に送信および受信し、ＧＣＳ−ＡＳサービスデータの使用量へのオンライン課金を実行し、ＵＥに関する許可されたサービスユニットと有効時間情報とを送信および受信し、ＥＰＳベアラに基づくＧＣＳ−ＡＳサービスデータの使用量へのオンライン課金を実行し、ＧＣＳ−ＡＳデバイ��１がオンライン課金初期要求を送信することを停止するまで、ＭＢＭＳベアラに基づく前記ＧＣＳサービスデータを提供するためのコンテンツプロバイダに課金することを意味することを当業者は理解されたい。
【００４７】
好ましくは、ＧＣＳ−ＡＳデバイス１は第４の送信装置（図示せず）をさらに備える。詳細には、ＵＥがＧＣＳ−ＡＳデバイス１へのセッションを開始する場合、第４の送信装置は、ＰＣＲＦデバイスがＧＣＳ−ＡＳサービスデータに特定のレーティンググループを割り振り、ＰＣＲＦデバイスが対応するＰＣＥＦデバイスを介してＯＣＳデバイス２に特定のレーティンググループを送信するように、対応するＰＣＲＦデバイスにＲｘ要求を送信する。
【００４８】
たとえば、ユーザＡの場合、ユーザＡのＵＥがＧＣＳ−ＡＳデバイス１とのセッションを開始するとき、ＧＣＳ−ＡＳデバイス１の第４の送信装置はＰＣＲＦデバイスへのＲｘ要求をトリガすることになる。ＰＣＲＦデバイスは、課金ポリシーに基づいてＵＥに関するＧＣＳ−ＡＳサービスデータのために特定のレーティンググループを割り振り、ＰＣＥＦデバイスがＯＣＳデバイス２に特定のレーティンググループを送信するように、ＰＣＥＦデバイスに特定のレーティンググループを送信する。
【００４９】
好ましくは、ＧＣＳ−ＡＳデバイス１は、検出装置（図示せず）と第５の送信装置（図示せず）とをさらに備える。詳細には、ＵＥがＧＣＳ−ＡＳセッション中であるとき、検出装置は、ＯＣＳデバイス２にオンライン課金更新要求を送信するための更新トリガ条件が満たされるかどうかを検出し、更新トリガ条件が満たされる場合、第５の送信装置は、ＯＣＳデバイス２が対応する動作を実行するように、ＯＣＳデバイス２にオンライン課金更新要求を送信する。
【００５０】
詳細には、ＵＥがＧＣＳ−ＡＳセッション中であるとき、検出装置は、ＯＣＳデバイス２にオンライン課金更新要求を送信するための更新トリガ条件が満たされるかどうかを検出する。ここで、更新トリガ条件は、限定はしないが、１）ＵＥに関するキーまたは有効時間情報が満了している、２）ＵＥに関する許可されたサービスユニットが使用し尽くされる、３）ＵＥのロケーション情報が変更される、のうちの少なくともいずれか１つを含む。
【００５１】
たとえば、ユーザＡの場合、ユーザＡのＵＥのロケーション情報が変更される、たとえば、ユーザが南から北にＵＥを運ぶと仮定すると、検出装置は、ＯＣＳデバイス２にオンライン課金更新要求を送信するための更新トリガ条件が満たされると判断する。
【００５２】
更新トリガ条件が満たされる場合、第５の送信装置は、ＯＣＳデバイス２が対応する動作を実行するように、ＯＣＳデバイスにオンライン課金更新要求を送信する。
【００５３】
たとえば、ユーザＡの場合、ユーザＡのＵＥのキーまたは有効時間情報が満了し、検出装置が、ＯＣＳデバイス２にオンライン課金更新要求を送信するための更新トリガ条件が満たされると判断すると仮定すると、第５の送信装置は、たとえば、ＯＣＳデバイス２が有効時間情報を拡張するかまたはＧＣＳ−ＡＳサービスを再認可するように、有効時間情報を拡張するようにＯＣＳデバイス２に要求するかまたはＧＣＳ−ＡＳサービスを再認可するようにＯＣＳデバイス２に要求する、オンライン課金更新要求をＯＣＳデバイス２に送信する。
【００５４】
ユーザＡについての別の例では、ユーザＡのＵＥの許可されたサービスユニットが使用し尽くされ、検出装置が、ＯＣＳデバイス２にオンライン課金更新を送信するための更新トリガ条件が満たされることを検出すると仮定すると、第５の送信装置は、たとえば、ＧＣＳ−ＡＳサービスを再認可するようにＯＣＳデバイス２に要求する、オンライン課金更新要求をＯＣＳデバイス２に送信する。
【００５５】
好ましくは、ＧＣＳ−ＡＳデバイス１は報告装置（図示せず）をさらに備える。詳細には、報告装置は、ＧＣＳサービスデータに関する課金関係情報をＯＣＳデバイス２に報告する。ここで、ＧＣＳサービスデータに関する課金関係情報は、限定はしないが、たとえば、１）加入者ＩＤ、加入者ロケーション情報、サービスエリア、ＴＭＧＩ、ベアラトラフィックタイプ、ゲートウェイアクセス、無線アクセスタイプ、関係するサービス属性、ユーザのＧＣＳサービス参加および退去時間、関係するＵＬサービス使用量およびＤＬサービス使用量などを含む。
【００５６】
好ましくは、ＧＣＳ−ＡＳサービスデータがＭＢＭＳベアラに基づく場合、ＧＣＳ−ＡＳデバイス１は、以下のような一時マッピングのうちの少なくとも１つを保存する：
−  ＵＥのユーザ識別情報と、ＵＥが属するＭＢＭＳグループの識別情報と、前記キーとの間の一時マッピング、
−  ＵＥのユーザ識別情報と、ＵＥが属するＭＢＭＳグループの識別情報と、前記有効時間情報との間の一時マッピング、
−  ＵＥの一時モバイルグループ識別情報と、前記ＧＣＳサービスデータの識別情報との間の一時マッピング。
【００５７】
好ましくは、ＵＥに対応するユーザ残高が所定のしきい値を満たさない場合、ＯＣＳデバイス２の第２の送信装置２２は、さらに、ＯＣＳデバイス２またはＧＣＳ−ＡＳデバイス１がＵＥにキーを割り振らなくなるように、オンライン課金初期要求を拒否することができる。キーがなければ、ＵＥは、ＧＣＳ−ＡＳデバイス１からのメッセージを復号することができない。
【００５８】
好ましくは、ＵＥがＧＣＳ−ＡＳサービスを登録解除するかまたは退去する場合、ＵＥはＧＣ１を通してＧＣＳ−ＡＳデバイス１に報告し、したがって、ＧＣＳ−ＡＳデバイス１はオンライン課金終了要求をトリガすることになる。
【００５９】
（図１参照すると）好ましい一実施形態では、ＵＥがＧＣＳ−ＡＳデバイス１へのセッションを開始する場合、ＧＣＳ−ＡＳデバイス１の第１の送信装置１１は、ＧＣＳ−ＡＳ  Ｒｏインターフェースを介して、対応するＯＣＳデバイス２にオンライン課金初期要求を送信し、オンライン課金初期要求はＵＥの通信モードを含む。ここで、通信モードは、ユニキャスト、マルチキャスト、ブロードキャストなどを含む。対応して、ＯＣＳデバイス２がＵＥのＧＣＳ−ＡＳサービスデータの使用量へのオンライン課金を実行するとき、それは、ＵＥごとのＧＣＳ通信モードに基づいて異なるタリフを適用することができる。
【００６０】
ここで、本発明は、ＯＣＳデバイス２が、ＵＥの通信モードに基づいて異なるタリフを用いて課金し得るように、ＯＣＳデバイス２にＵＥの通信モードを送信する。したがって、ＧＣＳサービスを使用する加入者の場合、すなわち、ＧＣＳ−ＡＳグループ中のユーザの場合、本発明は、ＵＥごとの課金をサポートする。
【００６１】
ここで、本発明では、ＧＣＳ−ＡＳサービスのプロバイダはワイヤレスネットワークのプロバイダと同じであるかまたは異なり得ることにさらに留意されたい。詳細には：
１）ＧＣＳ−ＡＳサービスのプロバイダがワイヤレスネットワークのプロバイダと同じである場合、（ＧＣＳ  ＡＳ  Ｒｏ、Ｇｙ、ＭＢＭＳ−Ｒｏを含む）すべてのオンライン課金Ｒｏインターフェースは、Ｈ−ＰＬＭＮ（ホーム公衆陸上移動網）中の同じネットワークによってトリガされることになり、
２）ＧＣＳ−ＡＳサービスのプロバイダがワイヤレスネットワークとは異なる場合、ＧＣＳ−ＡＳ  Ｒｏはサードパーティのネットワークによってトリガされることになり、ＧｙおよびＭＢＭＳ  Ｒｏは、Ｈ−ＰＬＭＮ中のモバイル事業者／プロバイダのネットワークによってトリガされることになる。ＧＣＳ−ＡＳ  ＯＣＳ（すなわち、ＧＣＳ−ＡＳサービスのプロバイダ）は、ＧＣＳ−ＡＳデバイス１に一体化されるか、またはＧＣＳ−ＡＳデバイス１とは別個である、たとえば、ＧＣＳ−ＡＳデバイス１の近くに配置され得る。
【００６２】
ローミングユーザの場合、オンライン課金は、３ＧＰＰにおいて定義されているように、ローミングユーザのための以下の既存のオンライン課金に従うべきである。図２−図６は、非ローミング／非ローミングネットワークアーキテクチャ中のＧＣＳ−ＡＳサービスを使用する加入者のＧＣＳオンライン課金図を示しており、ＧＣＳ−ＡＳサービスのプロバイダはワイヤレスネットワークのプロバイダと同じであるかまたは異なる。ＭＢＭＳ  ＲｏおよびＧＣＳ−ＡＳ  Ｒｏインターフェースのほかに、図２−図６に示されているそれぞれのインターフェースが当業者に知られていることに留意されたい。簡単のために、詳細は、もはや説明されず、ここでは、引用の形で含まれるにすぎない。
【００６３】
ここで、また、本発明が、ＧＣＳ−ＡＳ  Ｒｏ、Ｇｙ  ＲｏおよびＭＢＭＳ  ＲｏにおけるダイアミタＭＢＭＳ情報ＡＶＰ（Ｄｉａｍｅｔｅｒ  ＭＢＭＳ−Ｉｎｆｏｒｍａｔｉｏｎ  ＡＶＰ）中のサブＡＶＰの追加を必要とすることに留意されたい。
【００６４】
図７は、本発明の別の実施形態による、ＧＣＳ−ＡＳデバイスとＯＣＳデバイスとＢＭ−ＳＣデバイスとの間の協働を用いてＬＴＥ  ＥＰＳ／ＭＢＭＳ上でＧＣＳへのオンライン課金を実行するための方法のフローチャートを示す。
【００６５】
ここにおいて、本方法は、ステップＳ１と、ステップＳ２と、ステップＳ３と、ステップＳ４と、ステップＳ５と、ステップＳ６と、ステップＳ７とを含む。詳細には、ＵＥがＧＣＳ−ＡＳデバイス１へのセッションを開始する場合、ステップＳ１において、ＧＣＳ−ＡＳデバイス１は、ＧＣＳ−ＡＳ  Ｒｏインターフェースに基づいて、対応するＯＣＳデバイス２にオンライン課金初期要求を送信し、対応して、ＯＣＳデバイス２は、ＵＥ開始型セッションを受信したとき、ＧＣＳ−ＡＳ  Ｒｏインターフェースを介して、対応するＧＣＳ−ＡＳデバイス１によって送信されたオンライン課金初期要求を受信し、ステップＳ４において、ＯＣＳデバイス２は、オンライン課金初期要求に応答してＧＣＳ−ＡＳサービスデータの使用量へのオンライン課金をさらに実行し、ステップＳ２において、ＯＣＳデバイス２は、オンライン課金初期要求に応答して、ＧＣＳ−ＡＳ  Ｒｏインターフェースを介してＵＥに関する許可されたサービスユニットと有効時間情報とをＧＣＳ−ＡＳデバイス１に送信し、ＵＥに対応するユーザ残高は所定のしきい値を満たし、対応して、ＧＣＳ−ＡＳデバイス１は、オンライン課金初期要求に基づいてＯＣＳデバイス２によって送信された、ＵＥに関する許可されたサービスユニットと有効時間情報とを受信し、ステップＳ３において、ＧＣＳ−ＡＳデバイス１は、有効時間情報内に、対応するキーに基づいて、許可されたサービスユニットに対応するＧＣＳ−ＡＳサービスデータをＵＥに復号させるように、ＧＣＳ−ＡＳサービスデータと、有効時間情報と、キーとをＵＥに送信し、ＧＣＳ−ＡＳサービスデータがＥＰＳベアラに基づく場合、ステップＳ５において、ＯＣＳデバイス２は、許可されたサービスユニットに対応するＧＣＳ−ＡＳサービスデータのために割り振られた、受信された特定のレーティンググループに基づいて、ＧＣＳ−ＡＳサービスデータの使用量へのオンライン課金を実行し、ＧＣＳ−ＡＳサービスデータの使用量はＧｙインターフェースを介して転送され、ＵＥの許可されたサービスユニットに対応するＧＣＳ−ＡＳサービスデータがＭＢＭＳベアラに基づく場合、ステップＳ６において、ＢＭ−ＳＣデバイス３は、ＭＢＭＳ  Ｒｏインターフェースに基づいて、対応するＯＣＳデバイス２にオンライン課金要求を送信し、対応して、ＯＣＳデバイス２は、ＧＣＳ−ＡＳサービスデータがＭＢＭＳベアラに基づくとき、ＭＢＭＳ  Ｒｏインターフェースを介して、対応するＢＭ−ＳＣデバイス３によって送信されたオンライン課金要求を受信し、ステップＳ７において、ＯＣＳデバイス２は、オンライン課金要求に従ってＧＣＳサービスデータのコンテンツプロバイダに課金する。
【００６６】
ここで、ＧＣＳ−ＡＳデバイス１は、ＥＰＳベアラサービスを使用することができ、さらに、ＧＣＳ  ＡＳデバイス１と（１つまたは複数の）ＵＥとの間でアプリケーションシグナリングとデータとを転送するためにＭＢＭＳベアラサービスを使用し得るグループ通信サービス（ＧＣＳ）アプリケーションサーバ（ＡＳ）を指す。特定の実施形態では、ＧＣＳ−ＡＳデバイス１は、既存のＧＣＳ−ＡＳ、たとえば、３ＧＰＰ  ４Ｇ  ＬＴＥにおいて導入されるグループ通信システムのためのＧＣＳ−ＡＳであり得、それは、既存のＧＣＳ−ＡＳを強化させることによっても派生され得る。
【００６７】
ここで、ＯＣＳデバイス２は、サービス使用量に基づいてシステムとのリアルタイム対話型課金を実行し得るオンライン課金システム（ＯＣＳ）を指す。特定の実施形態では、ＯＣＳデバイス２は、既存のＯＣＳであるか、または既存のＯＣＳを強化させることから派生され得る。
【００６８】
ここで、ＢＭ−ＳＣデバイス３は、ＭＢＭＳサービスのプロビジョンおよび管理を実行し得る機能エンティティ（すなわち、ブロードキャストマルチキャストサービスセンター）を指す。たとえば、コンテンツプロバイダの場合、ＢＭ−ＳＣデバイス３はＭＢＭＳサービスコンテンツのためのエントリであり、ベアラネットワークの場合、ＢＭ−ＳＣデバイス３は、ＭＢＭＳサービスを認可および開始し、ＭＢＭＳサービスコンテンツをスケジュールおよび送信するように構成される。特定の実施形態では、ＢＭ−ＳＣデバイス３は、既存のＢＭ−ＳＣおよびｅＢＭ−ＳＣであるか、または既存のＢＭ−ＳＣを強化させることから派生され得る。
【００６９】
上述のＧＣＳ−ＡＳデバイス１、ＯＣＳデバイス２およびＢＭ−ＳＣデバイス３は例にすぎず、他の既存のグループ通信サービスアプリケーションサーバまたはオンライン課金システムまたはブロードキャストマルチキャストサービスセンター、あるいは場合によっては後で出てくることがあるものは、それらが本発明に適応可能である場合、本発明の保護範囲においても包含され、ここでは引用の形で含められるべきであることを当業者は理解されたい。ここで、ＧＣＳ−ＡＳデバイス１、ＯＣＳデバイス２およびＢＭ−ＳＣデバイス３はすべて、数値計算を実行し、事前設定されたまたは事前格納された命令に従って自動的に情報を処理することができる電子デバイスを含むことができ、それのハードウェアは、限定はしないが、マイクロプロセッサ、特定用途向け集積回路（ＡＳＩＣ）、フィールドプログラマブルゲートアレイ（ＦＰＧＡ）、デジタル信号プロセッサ（ＤＳＰ）、または組み込みデバイスなどを含む。
【００７０】
詳細には、ＵＥがＧＣＳ−ＡＳデバイス１へのセッションを開始する場合、ステップＳ１において、ＧＣＳ−ＡＳデバイス１は、ＧＣＳ−ＡＳ  Ｒｏインターフェースに基づいて、対応するＯＣＳデバイス２にオンライン課金初期要求を送信する。
【００７１】
ここで、ＧＣＳ−ＡＳ  Ｒｏインターフェースは、本発明によれば、ＧＣＳ−ＡＳデバイス１とＯＣＳデバイス２との間に新たに導入されるインターフェースであり、これは、ＵＥごとのＧＣＳ−ＡＳサービス使用量に課金するために使用される。
【００７２】
たとえば、ユーザ（たとえば、ユーザＡ）がユーザ自身のＵＥを使用してＧＣＳ−ＡＳサービスをカスタマイズすると仮定する。ＵＥが、ＧＣＳサービスに対応するＧＣＳ−ＡＳデバイス１へのセッションを開始する、たとえば、ＵＥがＧＣＳ−ＡＳデバイス１に登録する場合、ステップＳ１において、ＧＣＳ−ＡＳデバイス１は、ＧＣＳ−ＡＳ  Ｒｏインターフェースを介して、対応するＯＣＳデバイス２にオンライン課金初期要求を送信する。
【００７３】
対応して、ＯＣＳデバイス２は、ＧＣＳ−ＡＳ  Ｒｏインターフェースを介してＵＥによって開始されるセッションを受信したとき、対応するＧＣＳ−ＡＳデバイス１によって送信されたオンライン課金初期要求を受信する。
【００７４】
次に、ステップＳ４において、ＯＣＳデバイス２は、オンライン課金初期要求に応答してＵＥのＧＣＳ−ＡＳサービスデータの使用量に対してオンライン課金を実行する。
【００７５】
さらに、ステップＳ２において、ＯＣＳデバイス２は、最初に、オンライン課金初期要求に応答して、ＵＥに関する許可されたサービスユニットと有効時間情報とを決定し、次いで、ＧＣＳ−ＡＳ  Ｒｏインターフェースに基づいて、ＵＥに関する許可されたサービスユニットと有効時間情報とをＧＣＳ−ＡＳデバイス１に送信し、ＵＥに対応するユーザ残高は所定のしきい値を満たす。ここで、許可されたサービスユニットはＧＣＳ−ＡＳサービスデータの使用量に対応する。
【００７６】
ここで、許可されたサービスユニットのタイプは、イベントベース（たとえば、ショートメッセージングサービス）であるか、またはトラフィックベース（たとえば、ダウンロードサービス）であるか、または時間長ベース（たとえば、呼サービス）であり得る。ここで、有効時間情報は、ＵＥがＧＣＳ−ＡＳサービスデータを復号するためのキーの有効時間を示す。特定の実施形態では、それは、有効タイマーによって実装され得る。好ましくは、ＧＣＳ−ＡＳデバイス１はまた、許可期間中にキーおよび／または有効時間情報を修正または再発行することができる。ＧＣＳ−ＡＳデバイス１はまた、キーおよび有効時間情報のバージョンに関してＯＣＳデバイス２と相談することができる。
【００７７】
たとえば、上記の例を続けると、ステップＳ１において、ＯＣＳデバイス２は、ＧＣＳ−ＡＳ  Ｒｏインターフェースを介して、対応するＧＣＳ−ＡＳデバイス１によって送信されたオンライン課金初期要求を受信する。ユーザ残高が十分である場合など、ユーザＡのＵＥに対応するユーザ残高が所定のしきい値を満たす場合、ステップＳ２において、ＯＣＳデバイス２は、最初に、オンライン課金初期要求に応答して、許可されたサービスユニットと有効時間情報とを決定し、たとえば、課金システムは、ユーザＡのアカウントと残高と、対応するＧＣＳサービスのレート情報とに対してレーティングプロセスを実行し、それにより、ユーザＡのＵＥに対応する許可されたサービスユニット（たとえば、許可されたサービスユニットＡ）を決定し、有効時間情報（たとえば、有効性タイマーＡ）を割り振るように、対応するＧＣＳサービス使用量を取得し、次いで、ステップＳ２において、ＯＣＳデバイス２は、ＵＥに関する許可されたサービスユニットと有効時間情報とをＧＣＳ−ＡＳデバイス１に送信する。
【００７８】
対応して、ＧＣＳ−ＡＳデバイス１は、オンライン課金初期要求に基づいてＯＣＳデバイスによって送信された、ＵＥに関する許可されたサービスユニットと有効時間情報とを受信する。
【００７９】
ステップＳ３において、ＧＣＳ−ＡＳデバイス１は、有効時間情報内に、対応するキーに基づいて、許可されたサービスユニットに対応するＧＣＳ−ＡＳサービスデータをＵＥに復号させるように、ＧＣＩ（ＧＣＩは、既存の３ＧＰＰ基準において定義されているＵＥとＧＣＳ−ＡＳとの間のアプリケーションインターフェースである）基準点を介して、ＧＣＳ−ＡＳサービスデータと、有効時間情報と、キーとをＵＥに送信する。ここで、ＧＣＳ−ＡＳサービスデータは、ＥＰＳベアラまたはＭＢＭＳベアラに基づき得る。ここで、キーは、暗号化キーまたは復号キーであり得る。また、キーは、ＧＣＡ−ＡＳデバイス１によって割り振られるかまたはＯＣＳデバイス２によって割り振られ、ＧＣＳ−ＡＳデバイス１に送信され得る。
【００８０】
ここで、ＯＣＳデバイス２は、ステップＳ４において、最初に、オンライン課金初期要求に応答してＵＥのＧＣＳ−ＡＳサービスデータの使用量に関するオンライン課金を実行し、次いで、ＯＣＳデバイス２は、ステップＳ２において、オンライン課金要求に応答して、ＵＥに関する許可されたサービスユニットと有効時間情報とをＧＣＳ−ＡＳデバイス１にさらに送信し、許可されたサービスユニットは、ＧＣＳ−ＡＳサービスデータの使用量に対応することに留意されたい。ここで、導入されたＧＣＳ−ＡＳ  Ｒｏインターフェースを介して、本発明は、ＵＥごとのＧＣＳ−ＡＳサービス使用量に課金することを実現する。特定の実施形態では、ＧＣＳ−ＡＳデバイス１は、ＯＣＳデバイス２が対応する課金を実行するように、ＵＥごとのＧＣＳ−ＡＳサービスデータ使用量をＯＣＳデバイス２に送信することができる。
【００８１】
ＧＣＳ−ＡＳサービスデータがＥＰＳベアラに基づく場合、ステップＳ５において、ＯＣＳデバイス２は、最初に、Ｇｙインターフェースを介してＳＧＷ／ＰＧＷ（サービスゲートウェイ／パケットゲートウェイ）から課金要求を受信し、ＰＣＲＦ（ポリシーおよび課金施行機能）デバイスによって、許可されたサービスユニットに割り振られ、ＰＣＥＦ（ポリシーおよび課金ルール機能）デバイスによってフォワーディングされた特定のレーティンググループを受信し、次いで、ＯＣＳデバイス２は、特定のレーティンググループに基づいてオンライン課金を実行し、ＧＣＳ−ＡＳサービスデータの使用量はＧｙインターフェースを介して転送される。ここで、特定のレーティンググループは、課金ポリシーに基づいてＰＣＲＦデバイスによって割り振られる。ここで、Ｇｙインターフェースは、既存の３ＧＰＰ規格においてＯＣＳとＳＧＷ／ＰＧＷとの間に導入され、これは、ＬＴＥ  ＥＰＳベアラ上でＧＣＳ−ＡＳサービスの使用量を転送するために使用される。
【００８２】
たとえば、ユーザＡの場合、ユーザＡのＵＥがＧＣＳ−ＡＳデバイスへのセッションを開始するとき、ＧＣＳ−ＡＳデバイス１はＰＣＲＦデバイスへのＲｘ要求をトリガすることになり、ＰＣＲＦデバイスは、ＵＥに関するＧＣＳ−ＡＳサービスデータに特定のレーティンググループを割り振り、特定のレーティンググループをＰＣＥＦデバイスに送信し、ＰＣＥＦデバイスはＯＣＳデバイス２に特定のレーティンググループを送信し、次いで、ステップＳ５において、ＯＣＳデバイス２は、特定のレーティンググループに基づいてＧＣＳ−ＡＳサービスデータの使用量のためのオンライン課金を実行し、ＧＣＳ−ＡＳサービスデータの使用量はＧｙインターフェースを介して送信される。
【００８３】
好ましくは、ＰＣＲＦデバイスが特定のレーティンググループをＰＣＥＦデバイスに送信するとき、ＧＣＳ−ＡＳサービスデータフローなどのサービス情報は、それが他のデータフローではなくＧＣＳ−ＡＳサービスデータフローであると、ＰＣＥＦデバイスが決定し得るように同時に送信され得る。
【００８４】
好ましくは、ＰＣＥＦデバイスレベルにおけるＧＣＳ−ＡＳサービスデータは、無料、またはオンライン課金、またはコンテンツプロバイダ支払いによって支払われるスポンサー付きオンライン課金であり得る。
【００８５】
好ましくは、好ましい実施形態では、ＧＣＳ−ＡＳサービスデータのユーザの使用量がＧＣＳ−ＡＳ  Ｒｏを通して課金された場合、ＰＣＥＦデバイスは、ＯＣＳデバイス２へのＧｙインターフェースオンライン課金をトリガしないことがあり、対応して、エンドユーザの場合、本発明は、ＧＣＳ−ＡＳ  Ｒｏオンライン課金とＧｙオンライン課金とからの両方の課金トリガのための二重の課金問題を回避する。言い換えれば、エンドユーザの課金の場合、それは、ＧＣＳ−ＡＳ  ＲｏとＧｙとを通して同時に課金しないことになり、その上、本発明は、ＭＢＭＳベアラ上でのユーザトラフィックが無料であるので、ＥＰＳベアラ上でのＧＣＳ−ＡＳサービスを無料にすることができる。別の好ましい実施形態では、本発明は、依然として、ＥＰＳベアラの使用量の独立した課金を実行するためにＧｙを使用し得る。特定の実装様式は、１）無料のＧＣＳ−ＡＳサービスデータ（たとえば、コンテンツベース）の場合、ＰＣＥＦデバイスが、ＯＣＳデバイス２へのＧｙインターフェースオンライン課金をトリガしないことと、２）オンライン課金の場合、ＰＣＥＦがＯＣＳデバイスに特定のレーティンググループを搬送するようにオンライン課金要求をトリガする場合、したがって、ＯＣＳデバイス２が、ＧＣＳ−ＡＳサービスデータを無料で適用することができることとを含む。ＯＣＳデバイス２はまた、特定のレートを用いてＥＰＳベアラのＧＣＳ−ＡＳサービスデータに課金することができ（特定のレートは全体として動作構成に基づく）、３）本発明は、すなわち、ユーザによって支払われるのではなくコンテンツプロバイダがスポンサーになった、ＥＰＳベアラレベルにおけるＧＣＳ−ＡＳサービスデータのためのオンライン課金をサポートすることができる。Ｇｙインターフェースは、ＰＧＷ（パケットゲートウェイ）とＭＢＭＳとからのこの能力を可能にする。しかしながら、事業者からのビジネスモデルは異なることがある。
【００８６】
ＵＥの許可されたサービスユニットに対応するＧＣＳ−ＡＳサービスデータがＭＢＭＳベアラに基づく場合、ステップＳ６において、ＢＭ−ＳＣデバイス３は、ＭＢＭＳ  Ｒｏインターフェースを介して、対応するＯＣＳデバイス２にオンライン課金要求を送信する。ここで、ＭＢＭＳ  Ｒｏインターフェースは、ＢＭ−ＳＣデバイス３とＯＣＳデバイス２との間に、本発明によって新たに導入されるインターフェースであり、これは、ＭＢＭＳベアラ上でＧＣＳ−ＡＳサービス使用量のためにコンテンツプロバイダごとに課金するために使用される。
【００８７】
たとえば、ユーザＡの場合、ＵＥの許可されたサービスユニットに対応するＧＣＳ−ＡＳサービスデータがＭＢＭＳベアラに基づくように、ユーザＡのＵＥはＭＢＭＳグループに加入し、次いで、ステップＳ６において、ＢＭ−ＳＣデバイス３は、ＭＢＭＳ  Ｒｏインターフェースを介して、対応するＯＣＳデバイス２にオンライン課金要求を送信する。
【００８８】
好ましくは、ステップＳ６において、ＢＭ−ＳＣデバイス３が、ＭＢＭＳ  Ｒｏインターフェースに基づいて、対応するＯＣＳデバイス２にオンライン課金要求を送信するとき、オンライン要求中のユーザＩＤは、コンテンツプロバイダが課金可能当事者として働くようなコンテンツプロバイダである。
【００８９】
好ましくは、ＵＥの許可されたサービスユニットに対応するＧＣＳ−ＡＳサービスデータが、ＭＢＭＳベアラに基づく場合、ＧＣＳ−ＡＳデバイス１はまた、ＭＢＭＳサービス関係の課金情報をＯＣＳデバイス２に報告し得る。ここで、ＭＢＭＳサービス関係の課金情報は、たとえば、コンテンツプロバイダＩＤ、サービスエリア、ＴＭＧＩ（一時モバイルグループ識別子）、ベアラトラフィックタイプ、ＢＭ−ＳＣゲートウェイ、大得意のサービス属性、関係するＵＬ量およびＤＬ量、セッション開始時間および停止時間、マルチキャスト、ブロードキャストなどを含む。
【００９０】
対応して、ＯＣＳデバイス２は、ＧＣＳ−ＡＳサービスデータがＭＢＭＳベアラに基づく場合、ＭＢＭＳ  Ｒｏインターフェースを介して、対応するＢＭ−ＳＣデバイス３によって送信されたオンライン課金要求を受信する。
【００９１】
ステップＳ７において、ＯＣＳデバイス２は、オンライン課金要求に基づいて、ＧＣＳサービスデータを提供するためのコンテンツプロバイダに課金する。
【００９２】
ここで、ＧＣＳサービスデータを提供するためのコンテンツプロバイダに課金することによって、本発明は、ＭＴＣのＭＢＭＳグループメッセージ中でエンドユーザに課金することを実現する。
【００９３】
ＧＣＳ−ＡＳデバイス１、ＯＣＳデバイス２およびＢＭ−ＳＣデバイス３の様々なステップは、互いの間で連続的に動作する。詳細には、ＵＥがＧＣＳ−ＡＳデバイス１へのセッションを開始する場合、ステップＳ１において、ＧＣＳ−ＡＳデバイス１は、ＧＣＳ−ＡＳ  Ｒｏインターフェースに基づいて、対応するＯＣＳデバイス２にオンライン課金初期要求を連続的に送信する。対応して、ＯＣＳデバイス２は、ＵＥ開始型セッションを受信したとき、ＧＣＳ−ＡＳ  Ｒｏインターフェースを介して、対応するＧＣＳ−ＡＳデバイス１によって送信されたオンライン課金初期要求を連続的に受信し、ステップＳ４において、ＯＣＳデバイス２は、オンライン課金初期要求に応答してＧＣＳ−ＡＳサービスデータの使用量へのオンライン課金をさらに連続的に実行し、ステップＳ２において、ＯＣＳデバイス２は、オンライン課金初期要求に応答して、ＧＣＳ−ＡＳ  Ｒｏインターフェースを介してＵＥに関する許可されたサービスユニットと有効時間情報とをＧＣＳ−ＡＳデバイス１に連続的に送信し、ＵＥに対応するユーザ残高は所定のしきい値を満たし、対応して、ＧＣＳ−ＡＳデバイス１は、オンライン課金初期要求に基づいてＯＣＳデバイス２によって送信された、ＵＥに関する許可されたサービスユニットと有効時間情報とを連続的に受信し、ステップＳ３において、ＧＣＳ−ＡＳデバイス１は、有効時間情報内に、対応するキーに基づいて、許可されたサービスユニットに対応するＧＣＳ−ＡＳサービスデータをＵＥに復号させるように、ＧＣＳ−ＡＳサービスデータと、有効時間情報と、キーとをＵＥに連続的に送信し、ＧＣＳ−ＡＳサービスデータがＥＰＳベアラに基づく場合、ステップＳ５において、ＯＣＳデバイス２は、許可されたサービスユニットに対応するＧＣＳ−ＡＳサービスデータのために割り振られた、受信された特定のレーティンググループに基づいて、ＧＣＳ−ＡＳサービスデータの使用量へのオンライン課金を連続的に実行し、ＧＣＳ−ＡＳサービスデータの使用量はＧｙインターフェースを介して転送され、ＵＥの許可されたサービスユニットに対応するＧＣＳ−ＡＳサービスデータがＭＢＭＳベアラに基づく場合、ステップＳ６において、ＢＭ−ＳＣデバイス３は、ＭＢＭＳ  Ｒｏインターフェースに基づいて、対応するＯＣＳデバイス２にオンライン課金要求を連続的に送信し、対応して、ＯＣＳデバイス２は、ＧＣＳ−ＡＳサービスデータがＭＢＭＳベアラに基づくとき、ＭＢＭＳ  Ｒｏインターフェースを介して、対応するＢＭ−ＳＣデバイス３によって送信されたオンライン課金要求を連続的に受信し、ステップＳ７において、ＯＣＳデバイス２は、オンライン課金要求に従ってＧＣＳサービスデータのコンテンツプロバイダに連続的に課金する。ここで、「連続的に」は、ＧＣＳ−ＡＳデバイス１、ＯＣＳデバイス２およびＢＭ−ＳＣデバイス３の様々なステップがオンライン課金初期要求を連続的に送信および受信し、ＧＣＳ−ＡＳサービスデータの使用量へのオンライン課金を実行し、ＵＥに関する許可されたサービスユニットと有効時間情報とを送信および受信し、ＥＰＳベアラに基づくＧＣＳ−ＡＳサービスデータの使用量へのオンライン課金を実行し、ＧＣＳ−ＡＳ��バイス１がオンライン課金初期要求を送信することを停止するまで、ＭＢＭＳベアラに基づく前記ＧＣＳサービスデータを提供するためのコンテンツプロバイダに課金することを意味することを当業者は理解されたい。
【００９４】
好ましくは、ＧＣＳ−ＡＳデバイス１はステップＳ８（図示せず）をさらに備える。詳細には、ＵＥがＧＣＳ−ＡＳデバイス１へのセッションを開始する場合、ステップＳ８において、ＧＣＳ−ＡＳデバイス１は、ＰＣＲＦデバイスがＧＣＳ−ＡＳサービスデータに特定のレーティンググループを割り振り、ＰＣＲＦデバイスが対応するＰＣＥＦデバイスを介してＯＣＳデバイス２に特定のレーティンググループを送信するように、対応するＰＣＲＦデバイスにＲｘ要求を送信する。
【００９５】
たとえば、ユーザＡの場合、ユーザＡのＵＥがＧＣＳ−ＡＳデバイス１とのセッションを開始するとき、ステップＳ８において、ＧＣＳ−ＡＳデバイス１はＰＣＲＦデバイスへのＲｘ要求をトリガすることになる。ＰＣＲＦデバイスは、課金ポリシーに基づいてＵＥに関するＧＣＳ−ＡＳサービスデータのために特定のレーティンググループを割り振り、ＰＣＥＦデバイスがＯＣＳデバイス２に特定のレーティンググループを送信するように、ＰＣＥＦデバイスに特定のレーティンググループを送信する。
【００９６】
好ましくは、ＧＣＳ−ＡＳデバイス１は、ステップＳ９（図示せず）とステップＳ１０（図示せず）とをさらに備える。詳細には、ＵＥがＧＣＳ−ＡＳセッション中であるとき、ステップＳ９において、ＧＣＳ−ＡＳデバイス１は、ＯＣＳデバイス２にオンライン課金更新要求を送信するための更新トリガ条件が満たされるかどうかを検出する。更新トリガ条件が満たされる場合、ステップＳ１０において、ＧＣＳ−ＡＳデバイス１は、ＯＣＳデバイス２が対応する動作を実行するように、ＯＣＳデバイス２にオンライン課金更新要求を送信する。
【００９７】
詳細には、ＵＥがＧＣＳ−ＡＳセッション中であるとき、ステップＳ９において、ＧＣＳ−ＡＳデバイス１は、ＯＣＳデバイス２にオンライン課金更新要求を送信するための更新トリガ条件が満たされるかどうかを検出する。ここで、更新トリガ条件は、限定はしないが、１）ＵＥに関するキーまたは有効時間情報が満了している、２）ＵＥに関する許可されたサービスユニットが使用し尽くされる、３）ＵＥのロケーション情報が変更される、のうちの少なくともいずれか１つを含む。
【００９８】
たとえば、ユーザＡの場合、ユーザＡのＵＥのロケーション情報が変更される、たとえば、ユーザが南から北にＵＥを運ぶと仮定すると、ステップＳ９において、ＧＣＳ−ＡＳデバイス１は、ＯＣＳデバイス２にオンライン課金更新要求を送信するための更新トリガ条件が満たされると判断する。
【００９９】
更新トリガ条件が満たされる場合、ステップＳ１０において、ＧＣＳ−ＡＳデバイス１は、ＯＣＳデバイス２が対応する動作を実行するように、ＯＣＳデバイスにオンライン課金更新要求を送信する。
【０１００】
たとえば、ユーザＡの場合、ユーザＡのＵＥのキーまたは有効時間情報が満了し、ステップＳ９において、ＧＣＳ−ＡＳデバイス１が、ＯＣＳデバイス２にオンライン課金更新要求を送信するための更新トリガ条件が満たされると判断すると仮定すると、ステップＳ１０において、ＧＣＳ−ＡＳデバイス１は、たとえば、ＯＣＳデバイス２が有効時間情報を拡張するか、またはＧＣＳ−ＡＳサービスを再認可するように、ＯＣＳデバイス２に有効時間情報を拡張することを要求するか、またはＯＣＳデバイス２にＧＣＳ−ＡＳサービスを再認可することを要求する、オンライン課金更新要求をＯＣＳデバイス２に送信する。
【０１０１】
ユーザＡについての別の例では、ユーザＡのＵＥの許可されたサービスユニットが使用し尽くされ、ステップＳ９において、ＧＣＳ−ＡＳデバイス１が、ＯＣＳデバイス２にオンライン課金更新を送信するための更新トリガ条件が満たされることを検出すると仮定すると、ステップＳ１０において、ＧＣＳ−ＡＳデバイス１は、たとえば、ＧＣＳ−ＡＳサービスを再認可するようにＯＣＳデバイス２に要求する、オンライン課金更新要求をＯＣＳデバイス２に送信する。
【０１０２】
好ましくは、ＧＣＳ−ＡＳデバイス１はステップＳ１１（図示せず）をさらに備える。詳細には、ステップＳ１１において、ＧＣＳ−ＡＳデバイス１は、ＧＣＳサービスデータに関する課金関係情報をＯＣＳデバイス２に報告する。ここで、ＧＣＳサービスデータに関する課金関係情報は、限定はしないが、たとえば、１）加入者ＩＤ、加入者ロケーション情報、サービスエリア、ＴＭＧＩ、ベアラトラフィックタイプ、ゲートウェイアクセス、無線アクセスタイプ、関係するサービス属性、ユーザのＧＣＳサービス参加および退去時間、関係するＵＬサービス使用量およびＤＬサービス使用量などを含む。
【０１０３】
好ましくは、ＧＣＳ−ＡＳサービスデータがＭＢＭＳベアラに基づく場合、ＧＣＳ−ＡＳデバイス１は、以下のような一時マッピングのうちの少なくとも１つを保存する：
−  ＵＥのユーザ識別情報と、ＵＥが属するＭＢＭＳグループの識別情報と、前記キーとの間の一時マッピング、
−  ＵＥのユーザ識別情報と、ＵＥが属するＭＢＭＳグループの識別情報と、前記有効時間情報との間の一時マッピング、
−  ＵＥの一時モバイルグループ識別情報と、前記ＧＣＳサービスデータの識別情報との間の一時マッピング。
【０１０４】
好ましくは、ＵＥに対応するユーザ残高が所定のしきい値を満たさない場合、ステップＳ２において、ＯＣＳデバイス２は、さらに、ＯＣＳデバイス２またはＧＣＳ−ＡＳデバイス１がＵＥにキーを割り振らなくなるように、オンライン課金初期要求を拒否することができる。キーがなければ、ＵＥは、ＧＣＳ−ＡＳデバイス１からのメッセージを復号することができない。
【０１０５】
好ましくは、ＵＥがＧＣＳ−ＡＳサービスを登録解除するかまたは退去する場合、ＵＥはＧＣ１を通してＧＣＳ−ＡＳデバイス１に報告し、したがって、ＧＣＳ−ＡＳデバイス１はオンライン課金終了要求をトリガすることになる。
【０１０６】
（図７を参照すると）好ましい一実施形態では、ＵＥがＧＣＳ−ＡＳデバイス１へのセッションを開始する場合、ステップＳ１において、ＧＣＳ−ＡＳデバイス１は、ＧＣＳ−ＡＳ  Ｒｏインターフェースを介して、対応するＯＣＳデバイス２にオンライン課金初期要求を送信し、オンライン課金初期要求はＵＥの通信モードを含む。ここで、通信モードは、ユニキャスト、マルチキャスト、ブロードキャストなどを含む。対応して、ＯＣＳデバイス２がＵＥのＧＣＳ−ＡＳサービスデータの使用量へのオンライン課金を実行するとき、それは、ＵＥごとのＧＣＳ通信モードに基づいて異なるタリフを適用することができる。
【０１０７】
ここで、本発明は、ＯＣＳデバイス２が、ＵＥの通信モードに基づいて異なるタリフを用いて課金し得るように、ＯＣＳデバイス２にＵＥの通信モードを送信する。したがって、ＧＣＳサービスを使用する加入者の場合、すなわち、ＧＣＳ−ＡＳグループ中のユーザの場合、本発明は、ＵＥごとの課金をサポートする。
【０１０８】
ここで、本発明では、ＧＣＳ−ＡＳサービスのプロバイダはワイヤレスネットワークのプロバイダと同じであるかまたは異なり得ることにさらに留意されたい。詳細には：
１）ＧＣＳ−ＡＳサービスのプロバイダがワイヤレスネットワークのプロバイダと同じである場合、（ＧＣＳ  ＡＳ  Ｒｏ、Ｇｙ、ＭＢＭＳ−Ｒｏを含む）すべてのオンライン課金Ｒｏインターフェースは、Ｈ−ＰＬＭＮ（ホーム公衆陸上移動網）中の同じネットワークによってトリガされることになり、
２）ＧＣＳ−ＡＳサービスのプロバイダがワイヤレスネットワークとは異なる場合、ＧＣＳ−ＡＳ  Ｒｏはサードパーティのネットワークによってトリガされることになり、ＧｙおよびＭＢＭＳ  Ｒｏは、Ｈ−ＰＬＭＮ中のモバイル事業者／プロバイダのネットワークによってトリガされることになる。ＧＣＳ−ＡＳ  ＯＣＳ（すなわち、ＧＣＳ−ＡＳサービスのプロバイダ）は、ＧＣＳ−ＡＳデバイス１に一体化されるか、またはＧＣＳ−ＡＳデバイス１とは別個である、たとえば、ＧＣＳ−ＡＳデバイス１の近くに配置され得る。
【０１０９】
ローミングユーザの場合、オンライン課金は、３ＧＰＰにおいて定義されているように、ローミングユーザのための以下の既存のオンライン課金に従うべきである。図２−図６は、非ローミング／非ローミングネットワークアーキテクチャ中のＧＣＳ−ＡＳサービスを使用する加入者のＧＣＳオンライン課金図を示しており、ＧＣＳ−ＡＳサービスのプロバイダはワイヤレスネットワークのプロバイダと同じであるかまたは異なる。ＭＢＭＳ  ＲｏおよびＧＣＳ−ＡＳ  Ｒｏインターフェースのほかに、図２−図６に示されているそれぞれのインターフェースが当業者に知られていることに留意されたい。簡単のために、詳細は、もはや説明されず、ここでは、引用の形で含まれるにすぎない。
【０１１０】
ここで、また、本発明が、ＧＣＳ−ＡＳ  Ｒｏ、Ｇｙ  ＲｏおよびＭＢＭＳ  ＲｏにおけるダイアミタＭＢＭＳ情報ＡＶＰ中のサブＡＶＰの追加を必要とすることに留意されたい。
【０１１１】
本発明は、ソフトウェア、および／またはソフトウェアとハードウェアとの組合せにおいて実装され得、たとえば、本発明は、特定用途向け集積回路（ＡＳＩＣ）、汎用コンピュータまたは他の同様のハードウェア機器を使用することによって実装され得ることに留意する必要がある。一実施形態では、本発明のソフトウェアプログラムは、上述のステップまたは機能を達成するためにプロセッサによって実行され得る。同様に、本発明の（関連するデータ構造を含む）ソフトウェアプログラムは、コンピュータ可読記録媒体、たとえば、ＲＡＭメモリ、磁気光学的ドライブまたはフロッピーディスクおよび同様のデバイスに記憶され得る。さらに、本発明のいくつかのステップまたは機能は、様々なステップまたは機能を実行するために、ハードウェア、たとえば、プロセッサと協働する回路を使用することによって実現され得る。
【０１１２】
さらに、本発明の一部は、コンピュータプログラム命令など、コンピュータプログラム製品として適用され得る。命令がコンピュータによって実行されるとき、本発明による方法および／または技術的解決策は、コンピュータの動作を通して呼び出されるかまたは提供され得る。しかしながら、本発明の方法を呼び出すためのプログラム命令は、場合によっては固定または可動記録媒体に格納され、および／またはブロードキャスティングまたは他の信号キャリア媒体を介して送信され、および／または前記プログラム命令に従って動作しているコンピュータデバイスの動作メモリに記憶され得る。ここで、本発明の一実施形態に従って含まれる１つのデバイスがある。前記デバイスは、コンピュータプログラム命令を記憶するためのメモリと、プログラム命令を実行するためのプロセッサとを備える。このデバイスは、コンピュータプログラム命令が前記プロセッサによって実行されるとき、本発明の上述の実施形態に基づいて方法および／または技術的解決策を動作させるようにトリガされる。
【０１１３】
当業者にとって、明らかに、本発明は上述の例示的な実施形態の詳細に限定されない。その上、本発明の趣旨または基本的特徴から逸脱しないという前提の下で、本発明は他の特定の形態で達成され得る。したがって、実施形態は、どの点からであっても例示的および非制限的と考えられるべきである。本発明の範囲は、上記の説明ではなく添付の特許請求の範囲によって定義され、特許請求の範囲に分類される等価構成要素の意味および本発明の範囲内のすべての変更を包含することを目的とする。特許請求の範囲中の参照符号は、関係する請求項を制限するものと見なされないものとする。その上、明らかに、「備える／含む」という語は他の構成要素またはステップを除外せず、単数は複素数を除外せず、デバイス請求項において述べた複数の構成要素または手段はまた、ソフトウェアまたはハードウェアを通して１つの構成要素または手段によって達成され得、第１および第２などの表現は、特定の順序ではなく名前を表すために使用されるにすぎない。
【図１】
0006488405.tif 000002
【図２】
0006488405.tif 000003
【図３】
0006488405.tif 000004
【図４】
0006488405.tif 000005
【図５】
0006488405.tif 000006
【図６】
0006488405.tif 000007
【図７】
0006488405.tif 000008